(57)【要約】【課題】二つの吐出口を有するサラウンド吐出方式で空気の吐出方向を多角度で制御することで、広い空間を一層迅速に制御することができ、同一容量の空気調和機に比べて空調効果の高い空気調和機及びその制御方法を提供する。また、空気の吐出方向を多角度で制御しながら室内ファンの風量及び圧縮機の周波数を制御することで、人が感じるサラウンド体感効率を高められる空気調和機及びその制御方法を提供する。【解決手段】使用者の命令によって各ブレード１６ａ，１６ｂを独立的に動作させるためのサラウンド気流パターンを選択する入力部１００と、選択されたサラウンド気流パターンによって前記各ブレード１６ａ，１６ｂを独立的に動作させながら、前記各ブレード１６ａ，１６ｂの動作に基づいて圧縮機の周波数を制御する制御部１２０と、を含んで空気調和機を構成する。【選択図】図１
2008101894.tif 000002
【特許請求の範囲】
【請求項１】
複数の吐出口を有し、該複数の吐出口には、空気の吐出方向を調節するブレードがそれぞれ設置された空気調和機において、
使用者の命令によって各ブレードを独立的に動作させるためのサラウンド気流パターンを選択する入力部と、
選択されたサラウンド気流パターンによって前記各ブレードを独立的に動作させながら、前記各ブレードの動作に基づいて圧縮機の周波数を制御する制御部と、を含む空気調和機。
【請求項２】
前記入力部は、前記各ブレードが互いに独立的に動作することで、前記複数の吐出口を通して吐出される空気の方向が多角度で調節される気流パターンを選択することを特徴とする請求項１に記載の空気調和機。
【請求項３】
前記制御部は、前記各ブレードの動作において室内温度と設定温度の変化量で圧縮機の周波数を可変制御することを特徴とする請求項１に記載の空気調和機。
【請求項４】
前記複数の吐出口を通して吐出される空気の風量を調節する室内ファンをさらに含み、
前記制御部は、前記各ブレードの動作において室内温度と設定温度の変化量で前記室内ファンの風量を可変制御することを特徴とする請求項１に記載の空気調和機。
【請求項５】
前記制御部は、前記各ブレードの動作パターンによる前記圧縮機の周波数及び室内ファンの風量を予め保存することを特徴とする請求項４に記載の空気調和機。
【請求項６】
前記制御部は、前記圧縮機の周波数変化量によって室内ファンの風量を可変制御することを特徴とする請求項１に記載の空気調和機。
【請求項７】
複数の吐出口を有し、該複数の吐出口には、空気の吐出方向を調節するブレードがそれぞれ設置され、空気の吐出方向をサラウンドで制御する空気調和機の制御方法において、
使用者の命令によって前記各ブレードを独立的に動作させるためのサラウンド気流パターンを選択する段階と、
選択されたサラウンド気流パターンによって前記各ブレードを独立的に動作させながら、前記各ブレードの動作に基づいて圧縮機の周波数を制御する段階と、を含む空気調和機の制御方法。
【請求項８】
前記圧縮機の周波数を制御する段階は、
前記各ブレードの動作において室内温度と設定温度の変化量で圧縮機の周波数を可変制御することを特徴とする請求項７に記載の空気調和機の制御方法。
【請求項９】
前記各ブレードの動作において室内温度と設定温度の変化量で前記室内ファンの風量を可変制御する段階をさらに含む請求項７に記載の空気調和機の制御方法。
【請求項１０】
前記室内ファンの風量を制御する段階は、
前記圧縮機の周波数変化量によって室内ファンの風量を可変制御することを特徴とする請求項９に記載の空気調和機の制御方法。
【発明の詳細な説明】
【技術分野】
【０００１】
本発明は、二つの吐出口を有するサラウンド吐出方式の空気調和機に関するもので、特に、空気の吐出方向を多角度で制御しながら、圧縮機の周波数制御を通して使用者が感じるサラウンド体感効果を高められる空気調和機及びその制御方法に関するものである。
【背景技術】
【０００２】
一般に、空気調和機は、室内の冷房または暖房の目的で用いられる装置である。すなわち、空気調和機は、室内機と室外機の相互間に冷媒を循環させながら、液体状態の冷媒の気化時には周囲の熱を吸収し、液化時には吸収した熱を放出するという特性に基づいて冷気または温気を供給しており、室内機と室外機の相互間に循環する冷媒を圧縮するために圧縮機を用いている。
【０００３】
上記のような圧縮機は、室内温度が設定温度に到達すると運転を中止し、室内温度が設定温度より所定値（±１℃）だけ差があると再び運転する圧縮機のオン／オフ制御を通して冷暖房運転を行う。
【発明の開示】
【発明が解決しようとする課題】
【０００４】
しかしながら、上記のような従来の空気調和機は、熱交換された空気を吐出する吐出口を一つだけ備えており、前記一つの吐出口を通して吐出される空気の方向が同一に調節されるので、広い空間を均一に制御できなく、全体の室内空間を迅速に制御できなくなるという問題があった。
【０００５】
すなわち、従来の空気調和機によると、最近の市場環境の変化と伴い、空気調和機に要求される使用者の運転選択範囲が増加することで、使用者の多様な嗜好条件を満足させることができない。
【０００６】
本発明は、上記のような従来の問題点を解決するためのもので、本発明の目的は、二つの吐出口を有するサラウンド吐出方式で空気の吐出方向を多角度で制御することで、広い空間を一層迅速に制御することができ、同一容量の空気調和機に比べて空調効果の高い空気調和機及びその制御方法を提供することにある。
【０００７】
本発明の他の目的は、空気の吐出方向を多角度で制御しながら室内ファンの風量及び圧縮機の周波数を制御することで、人が感じるサラウンド体感効率を高められる空気調和機及びその制御方法を提供することにある。
【課題を解決するための手段】
【０００８】
上記の目的を達成するために、本発明は、複数の吐出口を有し、該複数の吐出口には、空気の吐出方向を調節するブレードがそれぞれ設置された空気調和機において、使用者の命令によって各ブレードを独立的に動作させるためのサラウンド気流パターンを選択する入力部と、選択されたサラウンド気流パターンによって前記各ブレードを独立的に動作させながら、前記各ブレードの動作に基づいて圧縮機の周波数を制御する制御部と、を含む。
【０００９】
また、前記入力部は、前記各ブレードが互いに独立的に動作することで、前記複数の吐出口を通して吐出される空気の方向が多角度で調節される気流パターンを選択することを特徴とする。
【００１０】
また、前記制御部は、前記各ブレードの動作において室内温度と設定温度の変化量で圧縮機の周波数を可変制御することを特徴とする。
【００１１】
また、本発明は、前記複数の吐出口を通して吐出される空気の風量を調節する室内ファンをさらに含み、前記制御部は、前記各ブレードの動作において室内温度と設定温度の変化量で前記室内ファンの風量を可変制御することを特徴とする。
【００１２】
また、前記制御部は、前記各ブレードの動作パターンによる前記圧縮機の周波数及び室内ファンの風量を予め保存することを特徴とする。
【００１３】
また、前記制御部は、前記圧縮機の周波数変化量によって室内ファンの風量を可変制御することを特徴とする。
【００１４】
また、本発明は、複数の吐出口を有し、該複数の吐出口には、空気の吐出方向を調節するブレードがそれぞれ設置され、空気の吐出方向をサラウンドで制御する空気調和機の制御方法において、使用者の命令によって前記各ブレードを独立的に動作させるためのサラウンド気流パターンを選択する段階と、選択されたサラウンド気流パターンによって前記各ブレードを独立的に動作させながら、前記各ブレードの動作に基づいて圧縮機の周波数を制御する段階と、を含む。
【００１５】
前記圧縮機の周波数を制御する段階は、前記各ブレードの動作において室内温度と設定温度の変化量で圧縮機の周波数を可変制御することを特徴とする。
【００１６】
また、本発明は、前記各ブレードの動作において室内温度と設定温度の変化量で前記室内ファンの風量を可変制御する段階をさらに含む。
【００１７】
また、前記室内ファンの風量を制御する段階は、前記圧縮機の周波数変化量によって室内ファンの風量を可変制御することを特徴とする。
【発明の効果】
【００１８】
本発明に係る空気調和機及びその制御方法によると、二つの吐出口を有するサラウンド方式で空気の吐出方向を多角度で制御することで、広い空間を一層迅速に制御することができ、同一容量の空気調和機に比べて空調効果を高められるという効果がある。
【００１９】
また、本発明は、空気の吐出方向を多角度で制御しながら、サラウンド気流パターンによる室内ファンの風量を圧縮機の周波数を可変制御することで、人が感じるサラウンド体感効率を高められるという効果がある。
【発明を実施するための最良の形態】
【００２０】
以下、本発明の一実施形態を、添付の図面に基づいて詳細に説明する。
【００２１】
図１は、本発明に係る空気調和機の室内機を示した斜視図である。
【００２２】
図１に示すように、室内機１０には、室内空気を吸入させるための吸入口１２が前面及び上部に形成され、前記吸入口１２を通して吸入された空気を再び室内に吐出させるための二つの吐出口１４ａ，１４ｂが、前面下部に左右に並んで形成される。
【００２３】
また、前記吐出口１４ａ，１４ｂには、吐出口１４ａ，１４ｂの長さ方向に形成された回動軸を中心に吐出口１４ａ，１４ｂをそれぞれ回動開閉しながら、上下回動によって空気の吐出方向を調節するブレード１６ａ，１６ｂ（以下、左右側ブレードという）がそれぞれ設置される。
【００２４】
また、前記吐出口１４ａ，１４ｂには、吐出口１４ａ，１４ｂの長さ方向に横に配置された回動軸を中心に左右に回動しながら、空気の吐出方向を調節する複数のブレード１８ａ，１８ｂがそれぞれ設置される。
【００２５】
図２は、図１の室内機を示した正断面図で、図３は、図２のＩ−Ｉ線断面図である。
【００２６】
図２及び図３に示すように、前記室内機１０の内部には、吸入空気を冷媒の蒸発潜熱によって冷風または温風に熱交換させる二つの室内熱交換器２０ａ，２０ｂが、対称形状で吸入口１２の後側に設置される。また、前記室内熱交換器２０ａ，２０ｂの後側には、吸入口１２を通して空気を吸入し、熱交換された空気を吐出口１４ａ，１４ｂを通して吐出させる二つのクロスフロー室内ファン２２ａ，２２ｂが設置される。また、前記室内ファン２２ａ，２２ｂの一側には、それぞれの室内ファン２２ａ，２２ｂを回転駆動させるための室内ファンモータ２４ａ，２４ｂがそれぞれ設置される。
【００２７】
図３に示すように、前記室内熱交換器２０ａの下側には、室内熱交換器２０ａの下端を支持するとともに、室内熱交換器２０ａからの凝縮水を一時収容した後、その凝縮水を外部に排出させるための集水トレー２６ａが配置される。
【００２８】
図４は、本発明に係る空気調和機の冷媒サイクル図である。
【００２９】
図４に示すように、本発明に係る空気調和機は、通常の冷媒サイクルを形成する室外機５０と、この室外機５０に連結されて室内の冷暖房を行う室内機１０と、を備えており、これら室内機１０と室外機５０との間には冷媒配管が設置される。
【００３０】
前記室外機５０は、冷媒を圧縮する圧縮機５２と、この圧縮機５２から吐出される冷媒の流れ方向を調節する四方バルブ５４と、前記圧縮機５２で圧縮された高温高圧の気体冷媒を受けてから、この冷媒を室外空気と熱交換する室外熱交換器５６と、この室外熱交換器５６で熱交換が行われるように室内空気を強制的に送風させる室外ファン５８ａと、この室外ファン５８ａを回転駆動させるための室外ファンモータ５８と、前記室外熱交換器５６で熱交換された冷媒を膨脹させる室外膨脹バルブ６０（または毛細管）と、を含んでいる。
【００３１】
図４に示した室内機１０において、図１乃至図３に示した構造と重複する部分の説明は省略する。
【００３２】
上記のような冷媒サイクルを有する空気調和機において、暖房運転時には、四方バルブ５４がオンになり、冷媒は、図４の点線矢印方向に、圧縮機５２→四方バルブ５４→室内熱交換器２０ａ，２０ｂ→室外膨脹バルブ６０→室外熱交換器５６→四方バルブ５４→圧縮機５２の順に循環される冷媒サイクルを形成する。
【００３３】
また、冷房運転時には、四方バルブ５４がオフになり、冷媒は、図４の実線矢印方向に、圧縮機５２→四方バルブ５４→室外熱交換器５６→室外膨脹バルブ６０→室内熱交換器２０ａ，２０ｂ→四方バルブ５４→圧縮機５２の順に循環される冷媒サイクルを形成する。
【００３４】
上記のような冷媒サイクルを形成する空気調和機において、使用者が望む運転モード（冷房または暖房）、設定温度及び設定風量を入力した後、運転キーをオンにすると、設定風量によって二つの室内ファン２２ａ，２２ｂが回転しながら、吸入口１２を通して室内空気が室内機１０内に吸入される。
【００３５】
その後、前記吸入口１２を通して吸入される室内空気の温度と設定温度とを比較した後、室内温度と設定温度との差に基づいて圧縮機５２の運転周波数を制御して圧縮機５２を駆動させることで、冷暖房機能が行われる。
【００３６】
図５は、本発明の一実施形態に係る空気調和機の制御ブロック図である。図示したように、本発明の一実施形態に係る空気調和機は、入力部１００、室内温度感知部１１０、制御部１２０、圧縮機駆動部１３０、室外ファンモータ駆動部１４０、室内ファンモータ駆動部１５０、バルブ駆動部、ブレード駆動部及び表示部１８０を含んで構成される。
【００３７】
前記入力部１００は、使用者が選択する運転モード（冷媒または暖房運転）、設定温度及び設定風量などの運転情報を入力するための操作部などで構成されたもので、二つの吐出口１４ａ，１４ｂを通して吐出される空気の方向を多角度で制御するために、使用者は、下記のような左右側ブレード１６ａ，１６ｂのサラウンド気流パターン（（１）〜（７））を選択する。
【００３８】
（１）左側ブレード１６ａのスイング＋右側ブレード１６ｂのスイング： 左側ブレード１６ａと右側ブレード１６ｂとの同一方向スイング
【００３９】
（２）左側ブレード１６ａのスイング＋右側ブレード１６ｂのスイング： 左側ブレード１６ａと右側ブレード１６ｂとの反対（交差）方向スイング
【００４０】
（３）左側ブレード１６ａの固定＋右側ブレード１６ｂのスイング
【００４１】
（４）左側ブレード１６ａのスイング＋右側ブレード１６ｂの固定
【００４２】
（５）左側ブレード１６ａの固定＋右側ブレード１６ｂの固定
【００４３】
（６）左側ブレード１６ａの閉鎖＋右側ブレード１６ｂのスイング
【００４４】
（７）左側ブレード１６ａのスイング＋右側ブレード１６ｂの閉鎖
【００４５】
前記室内温度感知部１１０は、吸入口１２を通して室内機１０内に吸入される室内空気の温度を感知する。
【００４６】
前記制御部１２０は、入力部１００から入力された気流選択信号によって吐出口１４ａ，１４ｂを通して吐出されるサラウンド気流を制御しながら、それぞれの気流に合う室内ファン２２ａ，２２ｂの風量及び圧縮機５２の周波数を制御し、使用者が感じるサラウンド気流体感を極大化させるように制御するマイコンであり、前記圧縮機５２の周波数は、室内温度と設定温度との差によって決定する。
【００４７】
また、前記制御部１２０には、使用者が選択したサラウンド気流パターンに合う室内ファン２２ａ，２２ｂの風量及び圧縮機５２の周波数が、室内温度と設定温度との差によってファージテーブル上に予め保存されている。
【００４８】
前記圧縮機駆動部１３０は、制御部１２０の圧縮機制御信号によって圧縮機５２の駆動を制御し、前記室外ファンモータ駆動部１４０は、制御部１２０の室外ファン制御信号によって室外ファンモータ５８の駆動を制御する。
【００４９】
前記室内ファンモータ駆動部１５０は、制御部１２０の室内ファン制御信号によって室内ファンモータ２４ａ，２４ｂの駆動を制御し、バルブ駆動部１６０は、入力部１００から入力された運転モード（冷媒または暖房運転）によって冷媒サイクルを冷房または暖房に切り替えるように、前記制御部１２０のバルブ制御信号によって四方バルブ５４及び室外膨脹バルブ６０の駆動を制御する。
【００５０】
前記ブレード駆動部１７０は、入力部１００から入力された運転モード（冷房または暖房運転）によって吐出口１４ａ，１４ｂを選択的に開閉させると同時に、選択的に開放された各吐出口１４ａ，１４ｂを通して吐出される空気の方向を調節するように、前記制御部１２０のブレード制御信号によってブレード１６ａ，１６ｂを回動させる駆動モータである。
【００５１】
前記表示部１８０は、制御部１２０の表示制御信号によって空気調和機の運転状態及びエラーモードなどを表示する。
【００５２】
以下、上記のように構成された空気調和機及びその制御方法の動作過程及び作用効果を説明する
【００５３】
図６は、本発明に係る空気調和機の制御方法の動作フローチャートである。
【００５４】
図示したように、まず、使用者が選択する運転モード（冷房または暖房運転）、設定温度及びサラウンド気流パターンなどの運転情報が入力部１００を通して制御部１２０に入力される（Ｓ２００）。
【００５５】
次いで、制御部１２０は、運転オンであるかを判断し（Ｓ２１０）、運転オンであると、選択されたサラウンド気流パターンによってブレード駆動部１７０を制御し、室内機１０の左右側吐出口１４ａ，１４ｂに設置された左右側ブレード１６ａ，１６ｂを回動させる。
【００５６】
例えば、使用者が選択したサラウンド気流パターンが（１）番である場合、ブレード駆動部１７０は、左側ブレード１６ａと右側ブレード１６ｂとを同一方向にスイングさせる。
【００５７】
その反面、使用者が選択したサラウンド気流パターンが（２）番である場合、ブレード駆動部１７０は、左側ブレード１６ａと右側ブレード１６ｂとを互いに反対方向に交差してスイングさせる。
【００５８】
また、使用者が選択したサラウンド気流パターンが（３）番である場合、ブレード駆動部１７０は、左側ブレード１６ａを固定させ、右側ブレード１６ｂをスイングさせる。
【００５９】
また、使用者が選択したサラウンド気流パターンが（４）番である場合、ブレード駆動部１７０は、左側ブレード１６ａをスイングさせ、右側ブレード１６ｂを固定させる。
【００６０】
また、使用者が選択したサラウンド気流パターンが（５）番である場合、ブレード駆動部１７０は、左側ブレード１６ａ及び右側ブレード１６ｂを固定させる。
【００６１】
また、使用者が選択したサラウンド気流パターンが（６）番である場合、ブレード駆動部１７０は、左側ブレード１６ａを閉鎖し、右側ブレード１６ｂのみをスイングさせる。
【００６２】
また、使用者が選択したサラウンド気流パターンが（７）番である場合、ブレード駆動部１７０は、左側ブレード１６ａのみをスイングさせ、右側ブレード１６ｂを閉鎖する。
【００６３】
前記サラウンド気流パターンによる左右側ブレード１６ａ，１６ｂの固定角度及びスイング角度は、使用者が任意に調節するか、制御部１２０に予め決められた角度で独立的に制御することができる。
【００６４】
一方、本発明では、使用者が選択した７個のサラウンド気流パターンの例を説明したが、本発明のサラウンド気流パターンは、これらに限定されるものではなく、左側ブレード１６ａを閉鎖し、右側ブレード１６ｂを固定させるなど、多様な形態に変更可能である。
【００６５】
上記のように、使用者が選択したサラウンド気流パターンによって左右側ブレード１６ａ，１６ｂを独立的に動作させる気流制御で、吐出口１４ａ，１４ｂを通して吐出される空気を一層遠く送るように方向を調節し、室内の温度と混合させ、冷暖房速度を増加できるようになる（Ｓ２２０）。
【００６６】
これと同時に、制御部１２０は、左右側ブレード１６ａ，１６ｂの気流制御に該当するファジーテーブルを用いて、室内温度と設定温度の変化量で圧縮機５２の周波数を可変制御し（Ｓ２３０）、圧縮機５２の周波数変化量によって室内ファン２２ａ，２２ｂの風量を可変制御する（Ｓ２４０）。
【００６７】
以下、前記左右側ブレード１６ａ，１６ｂの気流制御による圧縮機５２の周波数及び室内ファン２２ａ，２２ｂの風量制御を、各サラウンド気流パターンによって、図７乃至図１０に基づいて説明する。
【００６８】
本発明の動作を説明するために、圧縮機５２が最小に動作する最小周波数をＣｆ＿ｍｉｎとし、圧縮機５２が最大に動作する最大周波数をＣｆ＿ｍａｘとし、現在の圧縮機５２の周波数をＣｆ（Ｎ）とし、直ぐ以前に決められた圧縮機５２の周波数を Ｃｆ（Ｎ―１）とし、現在の室内温度と設定温度との差をＥ（Ｎ）とし、所定時間（△Ｔ）前の現在の室内温度と設定温度との差を△Ｅ（Ｎ）とし、Ｅ（Ｎ）と△Ｅ（Ｎ）の関数で求められる圧縮機５２の周波数変化量を△Ｃｆとし、圧縮機５２の周波数変化量△Ｃｆ値によって変化される室内ファン２２ａ，２２ｂの最大風量をＱ＿ｍａｘとし、圧縮機５２の周波数変化量△Ｃｆ値によって変化される室内ファン２２ａ，２２ｂの中間風量をＱ＿ ｍｉｄとし、圧縮機５２の周波数変化量△Ｃｆ値によって変化される室内ファン２２ａ，２２ｂの最小風量をＱ＿ｍｉｎとする。
【００６９】
まず、使用者が選択したサラウンド気流パターンが（１）、（２）番である場合、左側ブレード１６ａ及び右側ブレード１６ｂは、同一方向または反対方向にスイングするので、図７に示すように、室内ファン２２ａ，２２ｂの風量及び圧縮機５２の周波数を制御する。
【００７０】
図７において、左側ブレード１６ａ及び右側ブレード１６ｂがスイングを開始すると、室内ファン２２ａ，２２ｂは、最大風量Ｑ＿ｍａｘで駆動し、圧縮機５２も、最大周波数Ｃｆ＿ｍａｘで所定時間（約５分）の間駆動する。
【００７１】
これは、初期のサラウンド気流パターンが選択されたとき、室内温度を使用者設定温度に迅速に到達させるためであり、所定時間の経過後、制御部１２０では、左右側ブレード１６ａ，１６ｂの気流制御に該当するファジーテーブルを用いて、室内温度と設定温度の変化量によって圧縮機５２の周波数を可変制御する。
【００７２】
前記圧縮機５２の周波数が変化すると、これに連動して室内ファン２２ａ，２２ｂの風量も可変となり、左右側ブレード１６ａ，１６ｂのスイングによるサラウンド気流制御で、使用者が感じるサラウンド体感効果を高められる。
【００７３】
一方、使用者が選択したサラウンド気流パターンが（３）、（４）番である場合、左側ブレード１６ａ及び右側ブレード１６ｂのうち何れか一つが固定され、他の一つがスイングするので、 図８に示すように、室内ファン２２ａ，２２ｂの風量及び圧縮機５２の周波数を制御する。
【００７４】
図８において、左側ブレード１６ａ及び右側ブレード１６ｂのうち何れか一つが固定され、他の一つがスイングを開始すると、図７と同様に、室内ファン２２ａ，２２ｂは、最大風量Ｑ＿ｍａｘで駆動し、圧縮機５２も、最大周波数Ｃｆ＿ｍａｘで所定時間（約５分）の間駆動する。
【００７５】
これは、図７と同様に、初期のサラウンド気流パターンが選択されたとき、室内温度を使用者設定温度に迅速に到達させるためであり、所定時間の経過後、制御部１２０では、左右側ブレード１６ａ，１６ｂの気流制御に該当するファジーテーブルを用いて、室内温度と設定温度の変化量によって圧縮機５２の周波数を可変制御する。
【００７６】
まず、使用者が選択したサラウンド気流パターンが（５）番である場合、左側ブレード１６ａ及び右側ブレード１６ｂは固定状態であるので、図９に示すように、室内ファン２２ａ，２２ｂの風量及び圧縮機５２の周波数を制御する。
【００７７】
図９において、左側ブレード１６ａ及び右側ブレード１６ｂが固定されると、図７及び図８と同様に、室内ファン２２ａ，２２ｂは、最大風量Ｑ＿ｍａｘで駆動し、圧縮機５２も、最大周波数Ｃｆ＿ｍａｘで所定時間（約５分）の間駆動し、所定時間の経過後、制御部１２０では、左右側ブレード１６ａ，１６ｂの気流制御に該当するファジーテーブルを用いて、室内温度と設定温度の変化量によって圧縮機５２の周波数を可変制御する。
【００７８】
次に、使用者が選択したサラウンド気流パターンが（６）、（７）番である場合、左側ブレード１６ａ及び右側ブレード１６ｂのうち何れか一つが閉鎖され、他の一つがスイングするので、図１０に示すように、室内ファン２２ａ，２２ｂの風量及び圧縮機５２の周波数を制御する。
【００７９】
図１０において、左側ブレード１６ａ及び右側ブレード１６ｂのうち何れか一つが閉鎖され、他の一つがスイングを開始すると、図７乃至図９と同様に、室内ファン２２ａ，２２ｂは、最大風量Ｑ＿ｍａｘで駆動し、圧縮機５２も、最大周波数Ｃｆ＿ｍａｘで所定時間（約５分）の間駆動し、所定時間の経過後、制御部１２０では、左右側ブレード１６ａ，１６ｂの気流制御に該当するファジーテーブルを用いて、室内温度と設定温度の変化量によって圧縮機５２の周波数を可変制御する。
【００８０】
上記のように、それぞれのサラウンド気流パターンによって圧縮機５２の周波数及び室内ファン２２ａ，２２ｂの風量を制御することで、気流制御及び容量可変を行えるサラウンド制御が可能になり、使用者が感じるサラウンド体感効果を極大化させられる。
【００８１】
その後、使用者が入力部１００を通して運転オフを選択すると、制御部１２０は、運転オフであるかを判断し（Ｓ２５０）、運転オフでないと、前記Ｓ２２０にフィードバックしてサラウンド運転を継続して行う。
【００８２】
一方、運転オフであると、制御部１２０は、左右側ブレード１６ａ，１６ｂを決められた初期位置（例えば、閉鎖角度）に移動させ、室内ファン２２ａ，２２ｂ及び圧縮機５２を停止し、空気調和機の運転待機モードに進入しながら動作を終了する。
【図面の簡単な説明】
【００８３】
【図１】本発明に係る空気調和機の室内機を示した斜視図である。
【図２】図１の室内機を示した正断面図である。
【図３】図２のＩ−Ｉ線断面図である。
【図４】本発明に係る空気調和機の冷媒サイクル図である。
【図５】本発明の一実施形態に係る空気調和機の制御ブロック図である。
【図６】本発明に係る空気調和機の制御方法の動作フローチャートである。
【図７】本発明に係る空気調和機のサラウンド気流パターンによる室内ファン及び圧縮機の動作を示した第１グラフである。
【図８】本発明に係る空気調和機のサラウンド気流パターンによる室内ファン及び圧縮機の動作を示した第２グラフである。
【図９】本発明に係る空気調和機のサラウンド気流パターンによる室内ファン及び圧縮機の動作を示した第３グラフである。
【図１０】本発明に係る空気調和機のサラウンド気流パターンによる室内ファン及び圧縮機の動作を示した第４グラフである。
【符号の説明】
【００８４】
１０  室内機
１２  吸入口
１４ａ，１４ｂ  吐出口
１６ａ，１６ｂ  ブレード
【図１】
2008101894.tif 000003
【図２】
2008101894.tif 000004
【図３】
2008101894.tif 000005
【図４】
2008101894.tif 000006
【図５】
2008101894.tif 000007
【図６】
2008101894.tif 000008
【図７】
2008101894.tif 000009
【図８】
2008101894.tif 000010
【図９】
2008101894.tif 000011
【図１０】
2008101894.tif 000012